(57)【特許請求の範囲】
【請求項１】
パイプ材からなる支柱が平面視４角形の４角の角部に配置され、支柱の上部において、支柱の上部と支柱の上部との間にジョイントを介して側面フレームを架設して該４角形の４辺の側面を形成した空間形成用の骨組み構造であって、該側面フレームは、一方の端部近傍に屈曲部を有し、該屈曲部を除く部位が直線状である２本の同形のパイプ材と該パイプ材を支持する支持材とからなり、該２本のパイプ材同士が対向して屈曲部を除く部位で平行に、かつ点対称に配置されて、一方のパイプ材の屈曲部が他方のパイプ材に近づく方向に屈曲しているように支持材で支持されてなり、支柱の上部における平面視４角形の４角の角部には、角部を形成する２つの側面フレームの上側に位置するパイプ材同士を直角に規制する把持部を備えるコーナー材を取り付けたことを特徴とする空間形成用の骨組み構造。
【請求項２】
前記支柱の下部において、支柱の下部と支柱の下部との間にジョイントを介して、側面フレームを架設して前記平面視４角形の４辺のうちの３辺の側面を形成し、該側面フレームは、一方の端部近傍に屈曲部を有し、該屈曲部を除く部位が直線状である２本の同形のパイプ材と該パイプ材を支持する支持材とからなり、該２本のパイプ材同士が対向して屈曲部を除く部位で平行に、かつ点対称に配置されて、一方のパイプ材の屈曲部が他方のパイプ材に近づく方向に屈曲しているように支持材で支持されてなることを特徴とする請求項１に記載の空間形成用の骨組み構造。
【請求項３】
前記ジョイントが支柱を把持する断面略Ｃ型の把持部と側面フレームのパイプ材の端部が挿嵌される筒部を備えることを特徴とする請求項１または２に記載の空間形成用の骨組み構造。
【請求項４】
前記支柱の上部における前記平面視４角形の４辺の側面を形成する２組の対向する側面フレームのいずれかの組の側面フレームの上側に位置するパイプ材にジョイントを介して架橋材を架設することを特徴とする請求項１〜３のいずれか一項に記載の空間形成用の骨組み構造。
【請求項５】
前記平面視４角形が長方形であることを特徴とする請求項１〜４のいずれか一項に記載の空間形成用の骨組み構造。
【発明の詳細な説明】
【技術分野】
【０００１】
本発明は、空間形成用の骨組み構造に関わる。
【背景技術】
【０００２】
従来、シートや布製加工品で覆われた空間形成用の骨組み構造は、シートや布製加工品で覆うことによりさまざまな分野で使用されている。
例えば、屋内で使用されるものとしては、災害時に体育館などの屋内に設営され、プライベート空間を確保できる避難室として使用される仮設テントや臨時の診療室、フィルターを使用して雰囲気を清浄にしたクリーンルームなどが知られている。
また、屋外で使用されるものとしては、運動会等のイベントでは、雨除けや日除けのために設けられたテントや仮設テントが知られている。建築現場などの資材置き場では、建築資材を雨水等から保護するための建築資材保管用のテントが知られている。
これらのテント類の空間形成用の骨組みとしては、組立、分解が容易にできる空間形成用の骨組み構造が求められている。
【０００３】
しかし、従来のテント類に使用される骨組み構造は、構造が複雑であったり、支柱などのフレーム部品の種類や部品点数が多かったりして、組立や分解に人手や時間を多く消費していた。特許文献１に記載の骨組み構造では、リンク機構を利用した折り畳み可能な骨組み構造が示されているが、主梁材が入りくんでおり、組立や分解は容易には行えない。
【０００４】
また、災害時の体育館などの避難場所には多数の仮設テントが設置されるが、避難が解除された後はこれらの多数の仮設テントを解体して分解された骨組み構造の部品を保管しなければならない。このように保管時のことを考慮すると、分解後に広い保管スペースを必要とせず、コンパクトに収納できる空間形成用の骨組み構造が求められていた。
【先行技術文献】
【特許文献】
【０００５】
特許文献１：特開２００５−１５５０６２号公報
【発明の概要】
【発明が解決しようとする課題】
【０００６】
本発明は組立、分解が容易であって、しかも分解後にコンパクトに収納でき、広い保管スペースを必要としない空間形成用の骨組み構造を提供することを目的とする。
【課題を解決するための手段】
【０００７】
上記の課題を解決するために、本発明は以下の手段を採用する。
［１］パイプ材からなる支柱が平面視４角形の４角の角部に配置され、支柱の上部において、支柱の上部と支柱の上部との間にジョイントを介して側面フレームを架設して該４角形の４辺の側面を形成した空間形成用の骨組み構造であって、該側面フレームは、一方の端部近傍に屈曲部を有し、該屈曲部を除く部位が直線状である２本の同形のパイプ材と該パイプ材を支持する支持材とからなり、該２本のパイプ材同士が対向して屈曲部を除く部位で平行に、かつ点対称に配置されて、一方のパイプ材の屈曲部が他方のパイプ材に近づく方向に屈曲しているように支持材で支持されてなり、支柱の上部における平面視４角形の４角の角部には、角部を形成する２つの側面フレームの上側に位置するパイプ材同士を直角に規制する把持部を備えるコーナー材を取り付けたことを特徴とする空間形成用の骨組み構造。
［２］前記支柱の下部において、支柱の下部と支柱の下部との間にジョイントを介して、側面フレームを架設して前記平面視４角形の４辺のうちの３辺の側面を形成し、該側面フレームは、一方の端部近傍に屈曲部を有し、該屈曲部を除く部位が直線状である２本の同形のパイプ材と該パイプ材を支持する支持材とからなり、該２本のパイプ材同士が対向して屈曲部を除く部位で平行に、かつ点対称に配置されて、一方のパイプ材の屈曲部が他方のパイプ材に近づく方向に屈曲しているように支持材で支持されてなることを特徴とする［１］に記載の空間形成用の骨組み構造。
［３］前記ジョイントが支柱を把持する断面略Ｃ型の把持部と側面フレームのパイプ材の端部が挿嵌される筒部を備えることを特徴とする［１］または［２］に記載の空間形成用の骨組み構造。
［４］前記支柱の上部における前記平面視４角形の４辺の側面を形成する２組の対向する側面フレームのいずれかの組の側面フレームの上側に位置するパイプ材にジョイントを介して架橋材を架設することを特徴とする［１］〜［３］のいずれかに記載の空間形成用の骨組み構造。
［５］前記平面視４角形が長方形であることを特徴とする［１］〜［４］のいずれかに記載の空間形成用の骨組み構造。
【発明の効果】
【０００８】
本発明の空間形成用の骨組み構造は、平面視４角形の４角の角部に配置された支柱の上部において、支柱間にジョイントを介して側面フレームを架設し、さらに側面フレーム同士が形成する角部にコーナー材を装着することにより骨組み構造を構築することができるものであるから、組立および分解が容易に行うことができる。また、骨組み構造を構成する部品が嵩張らない形状であるから、骨組み構造の分解後にはコンパクトに収納することができ、広い保管スペースを必要としない。
【図面の簡単な説明】
【０００９】
【図１】本発明の空間形成用骨組み構造の斜視図を示す。
【図２】本発明の空間形成用骨組み構造の平面図を示す。
【図３】コーナー材を取り外した本発明の空間形成用骨組み構造の斜視図を示す。
【図４】本発明の側面フレームの正面図を示す。
【図５】本発明の空間形成用骨組み構造の平面視４角形の角部（コーナー材なし）の斜視図を示す。
【図６】ジョイントの斜視図（ａ）、平面図（ｂ）、正面図（ｃ）を示す。
【図７】本発明の空間形成用骨組み構造の平面視４角形の角部（コーナー材あり）の斜視図を示す。
【図８】コーナー材の平面図（ａ）、底面図（ｂ）、要部断面図（ｃ）を示す。
【図９】本発明の異なる実施形態の骨組み構造の斜視図を示す。
【図１０】架橋材の一例が設けられた本発明の空間形成用骨組み構造の斜視図を示す。
【図１１】架橋材の異なる一例が設けられた本発明の空間形成用骨組み構造の斜視図を示す。
【発明を実施するための形態】
【００１０】
本発明の空間形成用の骨組み構造を図面に基づいて説明する。なお、以下において、空間形成用の骨組みを単に「骨組み」ということがある。
本発明の骨組み構造１は、図１および図２に示されるように、平面視４角形の４角の角部に配置される同じ高さの支柱２（２ａ、２ｂ、２ｃ、２ｄ）と側面フレーム３を備えている。そして、支柱の上部と支柱の上部の間には側面フレーム３がジョイント（継手）４を介して架設されて、計４つの側面フレームが前記４角形の４辺の側面を形成している。
したがって、平面視４角形の４角の各角部においては、２つの側面フレーム３、３が角部を形成しており、この角部に後述するコーナー材５が取り付けられている。なお、図３には本発明の骨組み構造からコーナー材５を取り外したものが示されている。
図１に示されるものでは、支柱の上部において、支柱２ａと支柱２ｂ、支柱２ｂと支柱２ｃ、支柱２ｃと支柱２ｄ、支柱２ｄと支柱２ａの各支柱の間に、側面フレーム３がジョイント４を介して架設されている。
【００１１】
側面フレーム３は、図４に示されるように、同形の２本のパイプ材３１、３１を備えており、これら２本のパイプ材が支持材３２で支持されたものからなる。
このパイプ材３１は、直線状のパイプの一方の端部３１１の近傍に屈曲部３１２を形成して、この屈曲部を除いた部位は直線状に維持したものである。
したがって、パイプの一方の端部３１１と他方の端部３１３はともに直線状であり、両端部は平行である。そして、この一方の端部３１１は近傍に屈曲部を有する端部であるのに対して、他方の端部３１３は近傍に屈曲部を有しない端部である。
ここで、「一方の端部」を「他方の端部」に、「他方の端部」を「一方の端部」にそれぞれ読み替えても同様である。
そして、図４から分かるように、同形のパイプ材同士３１、３１は、互いの端部が揃って対向するとともに２つのパイプの屈曲部３１２、３１２を除く部位で平行であり、かつ点対称に配置されて、一方のパイプ３１の屈曲部３１２が他方のパイプ材３１に近づく方向に屈曲して配置されるように、支持材３２で支持されている。
側面フレーム３を構成する２本のパイプ３１と支持材３２は同一平面上にあり、また、支持材３２の長さはパイプ３１の屈曲部３１２が形成する段差の寸法よりも大きい。なお、図４における「Ｌ」は側面フレーム３の長さを表している。
ここで、「一方のパイプ材」を「他方のパイプ材」に、「他方のパイプ材」を「一方のパイプ材」にそれぞれ読み替えても同様である。
【００１２】
パイプ材３１は金属や合成樹脂から製作することができる。金属材としては鋼材も使用することができるが、アルミニウム材を使用すると一層の軽量化を図ることができる。
パイプ材３１と支持材３２とは溶接や接着などで接合される。図４における側面フレームの支持材３２は２本であるが３本以上の支持材でもよい。
【００１３】
後述するように、端部３１１はジョイント４の筒部４１に挿嵌されるが、この挿嵌を妨げないようにするために、屈曲部３１２は端部３１１の近傍に設けている。一方、屈曲部３１２が端部３１１の近傍から遠ざかると、骨組み構造の強度を弱くし、また、後述するコーナー材５の把持部５１を長くしないと、コーナー材５の取り付けができない。このため、屈曲部３１２は、端部３１１が筒部４１に挿嵌されることを妨げないかぎりにおいて、できるだけ端部３１１近くに形成することが望ましい。
【００１４】
次に、支柱２の上部における支柱間の側面フレーム３の架設について説明する。
すでに記載したように、支柱２の上部において、側面フレーム３は、４本の支柱が形成する平面視４角形の４辺の側面を形成するものである。そして図１、３から分かるように、各側面フレームのパイプ材の端部がジョイント４を介して支柱の上部に連結されることにより、各側面フレームは支柱間に架設されている。
側面フレーム３のパイプ材３１は、一方の端部の近傍に屈曲部３１２を有しているから、図３に示すように、４つの側面フレーム３の上側に位置する４本のパイプ材３１は、近傍に屈曲部を有する端部３１１とこの屈曲部３１２とを除く部位がすべて支柱の上端と同じ高さ（レベル）になるように、支柱２と連結することができる。
【００１５】
このように側面フレーム３と支柱２とを連結をするためには、図３から分かるように、２つの側面フレームが形成する平面視４角形の４角の角部において、一方の側面フレーム３の上側に位置するパイプ材３１の端部が近傍に屈曲部を有しない端部であり、他方の側面フレーム３の上側に位置するパイプ材３１の端部が近傍に屈曲部を有する端部とすればよい。こうすることにより、他方のパイプ材３１の近傍に屈曲部を有する端部が一方のパイプ材３１の近傍に屈曲部を有しない端部より下に位置することにできるから、各支柱２の上部において、支柱と一方の側面フレームとを連結するジョイント４および該支柱２と他方の側面フレームとを連結するジョイント４の２つのジョイントが支柱２において同じ場所を占めないようにすることができる。そして、平面視４角形の４角の他の角部においても、同様に、一方の側面フレームの上側に位置するパイプ材の端部が近傍に屈曲部を有しない端部であり、他方の側面フレームの上側に位置するパイプ材の端部が近傍に屈曲部を有する端部である。
ここで、「一方のパイプ材」を「他方のパイプ材」に、「他方のパイプ材」を「一方のパイプ材」にそれぞれ読み替えても同様である。
【００１６】
例えば、図３から分かるように、支柱２ａの上部では、角部を形成する左側の側面フレーム３の上側に位置するパイプ材の端部は近傍に屈曲部を有しない端部であり、同じく右側の側面フレーム３の上側に位置するパイプ材の端部は近傍に屈曲部を有する端部である。支柱２ｂ、支柱２ｃ、支柱２ｄの各支柱の上部で形成される角部を構成する２つの側面フレームの上側に位置するパイプ材についても同様である。
【００１７】
これら４つの側面フレーム３の各側面フレームの下側に位置するパイプ材についても、側面フレームの形状から明らかなように、前述の平面視４角形の４角の角部において、一方の側面フレームの下側に位置するパイプ材の端部は近傍に屈曲部を有する端部であり、他方の側面フレームの下側に位置するパイプ材の端部は近傍に屈曲部を有しない端部になる。
【００１８】
したがって、図５から分かるように、支柱２の上部では、各支柱において、上から、角部を形成する２つの側面フレームの一方の側面フレーム３の上側に位置するパイプ材の近傍に屈曲部を有しない端部、他方の側面フレーム３の上側に位置するパイプ材の近傍に屈曲部を有する端部、一方の側面フレームの下側に位置するパイプ材の近傍に屈曲部を有する端部、他方の側面フレームの下側に位置するパイプ材の近傍に屈曲部を有しない端部の順に、角部を形成する２つの側面フレームのパイプ材３１の端部を支柱に連結することができる。
【００１９】
側面フレームの支柱間への架設は、側面フレーム３のパイプ材の端部と支柱２とをジョイント４を介して連結することにより行うことができる。
ジョイント４は、側面フレーム３におけるパイプ材３１の端部と支柱２のそれぞれを受け入れる部分を備えるが、側面フレームのパイプ材の端部と支柱との連結および連結の解除が容易に行えるものが好まししい。
【００２０】
図６には、側面フレームのパイプ材３１の端部と支柱２とを連結するジョイント４の実施形態の一例が示されている。
このジョイント４は、側面フレームのパイプ材３１の端部が挿嵌される筒部４１と支柱２を把持する断面が略Ｃ型の把持部４２を備えている。
【００２１】
断面略Ｃ型の把持部４２は間隙を有しているので、この間隙から容易に支柱２のパイプ材をこの把持部４２に嵌め込むことができ、またこの把持部４２から支柱２を外すことも同様に容易に行うことができる。
ジョイントは合成樹脂や鋼、アルミニウムなどの金属から製作することができる。
【００２２】
支柱２と側面フレーム３とは、側面フレームの上側および下側のパイプ材の端部に対応する２つのジョイント４を介して連結されるため、支柱と側面フレームが直角の角度で安定した状態を維持することができるから、骨組み構造の組立も容易に行え、しかも組立後の骨組み構造も、水平方向に崩れにくいものになる。
【００２３】
支柱の上部では、図１および図７から分かるように、平面視４角形の４つの角部において、角部を形成する２つの側面フレームの上側に位置するパイプ材同士が直角の角部を形成するように、直角の角度をなす２つの把持部を備えるコーナー材５が取り付けられている。
このコーナー材５は、建築における火打ち梁と同様の働きをするものであり、骨組み構造の変形を防止するためのものである。
【００２４】
コーナー材５は、図８では略「く」の字型の部材であるが、この形に限るものではなく、角部を形成する２つの側面フレームの上側に位置するパイプ材同士が直角の角部を形成するように、２つの把持部５１が直角の角度をなすように支持されていることが必要である。
把持部５１は、図８に示すように、先端部に断面が間隙を有する略Ｃ型の部位を有しており、この間隙から容易に側面フレーム３の上側に位置するパイプ材３１をこの把持部５１に嵌め込むことができる。また、この把持部５１から嵌めこまれたパイプ材を取り外すことも同様に容易に行うことができる。
コーナー材の２つの把持部５１を連結している部位の裏面には、補強用のリブ５２を設けることにより、コーナー材５が撓まないようにすることが望ましい〔図８（ｂ）参照）〕。
【００２５】
把持部５１は、角部を形成する２つの側面フレームの上側に位置するパイプ材３１の端部の近傍の直線状の部位に上から当接して、その略Ｃ型の断面の凹部に側面フレームの上側に位置するパイプ材の直線状の部位が嵌めこまれて、該部位を把持して、一方の側面フレームの上側に位置するパイプ材と他方の側面フレームの上側に位置するパイプ材とが直角の角度をなすように規制するものである。
図７から分かるように、コーナー材５は、一方の側面フレーム（図７では左側）の上側に位置するパイプ材と他方の側面フレーム（図７では右側）の上側に位置するパイプ材とを把持している。ここで、一方の側面フレームの上側に位置するパイプ材端部は近傍に屈曲部を有しないパイプ材であり、他方の側面フレームの上側に位置するパイプ材端部は近傍に屈曲部を有するパイプ材である。
【００２６】
パイプ材の近傍に屈曲部を有する方の端部側では、把持部５１は、図７から分かるように、該端部の屈曲部に連続する直線部（図７では右側の側面フレームの上側に位置するパイプ材の高さが支柱上端と同じかほぼ同じ高さに位置する部位）を把持することができる程度の長さを有することが必要である。
また、パイプ材の近傍に屈曲部を有しない方の端部（図７では左側の側面フレームの上側に位置するパイプ材の端部）側では、把持部５１は、側面フレームのパイプ材３１の端部と支柱２とがジョイント４を介して連結されているから、支柱寄りの部位がジョイント４に当たらない形状にしなければならない。
なお、コーナー材５の２つの把持部５１は同じ長さにしてもよいし、異なる長さにしてもよい。
コーナー材も合成樹脂や鋼、アルミニウムなどの金属から製作することができる。
【００２７】
このように、平面視４角形の４角の４つの角部にはコーナー材が取り付けられているので、２つの側面フレームが９０°の直角に規制されて、骨組み構造を崩れにくいものにすることができる。
骨組み構造がシートや布製加工品で覆われて使用されることから、支柱の上部において支柱間に架設される４つの側面フレームは、その上側に位置するパイプ材３１のすべてが近傍に屈曲部を有する端部とこの屈曲部とを除く直線状の部位で、支柱の上端と同じ程度の高さ（レベル）になるように架設して、コーナー材を取り付けることが望ましい。
【００２８】
骨組み構造の支柱２の下端部には、図１に示すように、着脱自在の脚座６を設けてもよい。脚座６は支柱の下端が嵌入する筒状体（あるいは支柱の下端に陥入する筒状体）とこの筒状体の下端に連接した座板からなる。座板の底面には多数の溝を付けて滑り止め加工してもよいし、設置場所によっては脚座を設ける必要はないが、このような工夫をすることにより、組立ユニットを屋内に設営する場合には、床面を傷つけないようにすることができる。また、屋外で使用するときなどは、座板にアンカー用孔を設けてアンカーを打ち込み、地面に固定することもできる。
【００２９】
本発明の骨組み構造は、以上の骨組み構造を基本とし、以下に示すように、さまざまな形態の骨組み構造に展開できる。
図９に示す骨組み構造では、支柱の下部においても、支柱２と支柱２との間に側面フレーム３がジョイント４を介して架設されており、計３つの側面フレームが前記平面視４角形の４辺のうちの３辺の側面を形成している。この図に示す例では、支柱２ａと支柱２ｂとの間を除いて、支柱２ｂと支柱２ｃ、支柱２ｃと支柱２ｄ、支柱２ｄと支柱２ａの間にジョイントを介して側面フレーム３が架設されており、計３本の側面フレームが平面視４角形の３辺の側面を形成している。
この側面フレーム３が架設されていない面を、骨組み構造が形成する空間への出入口とすることができる。
【００３０】
このように支柱の上部のみならず、支柱の下部にも側面フレームを設けることにより、骨組み構造の強度を一層高めることができる。
支柱の下部に架設する側面フレーム３は、支柱の上部において使用した側面フレーム３と同じものを使用することができるが、支持材３２の長さが支柱の上部において使用した側面フレームのそれと異なっていてもよい。
ここで、支柱の下部とは、側面フレームが架設された支柱の上部より下の部位を指しており、図９に示されるものでは設置個所の床面や地面に近い支柱の部位に３つの側面フレームが設けられているが、これより高い位置に３つの側面フレームを設けてもかまわない。
【００３１】
支柱の下部においても、２つの側面フレームが形成する角部では、側面フレームの２本のパイプ材の端部と支柱との連結は、図９からも分かるように、支柱の上部における側面フレームと支柱との連結と同様に、ジョイント４を介して行うことができる。
すなわち、支柱の下部でも、上から、角部を形成する２つの側面フレームの一方の側面フレームの上側に位置するパイプ材の近傍に屈曲部を有しない端部、他方の側面フレームの上側に位置するパイプ材の近傍に屈曲部を有する端部、一方の側面フレームの下側に位置するパイプ材の近傍に屈曲部を有する端部、他方の側面フレームの下側に位置するパイプ材の近傍に屈曲部を有しない端部の順に２つの側面フレームのパイプ材の端部を支柱に連結することができる。
【００３２】
２つの側面フレームが角部を形成していない支柱（図９では支柱２ａ、２ｂ）では、１つの側面フレームの上側に位置するパイプ材と下側に位置するパイプ材の２つの端部がそれぞれ支柱にジョイント４を介して連結されることになる。
【００３３】
支柱の上部において、平面視４角形の角部にはコーナー材５を取り付けたが、同様に、支柱の下部においても、２つの側面フレームが形成する角部にコーナー材５を取り付けることができる（図示なし）。
この場合も、コーナー材は、支柱上部におけるコーナー材と同様に、角部を形成する２つの側面フレームの上側に位置するパイプ材の端部近傍の直線部を把持して、角部を形成する２つの側面フレームの上側に位置するパイプ材同士が直角になるように規制することができる。こうすることにより、骨組み構造の強度を一層高めることができる。
【００３４】
また、コーナー材５を支柱２と側面フレーム３が形成する角部に装着することもできる（図示なし）。この場合、コーナー材５は、支柱の上部においては、支柱２と側面フレームの下側に位置するパイプ材３１とを把持することになる。また、支柱の下部においても、支柱２と側面フレームのパイプ材３１を把持することができる。
支柱と側面フレームが形成する角部にコーナー材を取り付けると、骨組み構造の横揺れを防止できる。
【００３５】
骨組み構造には、図１０や図１１に示すように、支柱上部における平面視４角形の４辺の側面を形成する２組の対向する側面フレームのうち、いずれか１組の対向する側面フレームの上側に位置するパイプ材の間に、ジョイントを介して架橋材を架設することができる。
図１０に示されるフラットな架橋材７は、２本の支持材で連結した２本の平行なパイプ材を対向する側面フレームの上側に位置するパイプ材に架設したものである。中央部に形成された矩形の枠体に、例えば照明器具やクリーンルームで使用されるフィルターファンユニットなどを装着することができる。なお、ここでは支持材もジョイントを介してパイプ材に連結されている。
【００３６】
これまでに説明した骨組み構造をテント等のシートで覆った場合、天井面はフラットなものとなり、屋外で使用するテント類では、雨水が天井面に滞留することになる。
図１１に示される山形の架橋材８は、雨水が天井面に滞留することのないように、テント類の天井面を傾斜させることができるものである。すなわち、複数のパイプ材から、屋根の棟木と垂木の相当する骨組みを形成し、垂木に相当するパイプ材８２の下端を、ジョイントを介して、対向する側面フレーム３の上側に位置するパイプ材に架設したものである。ここでは、棟木に相当する１本のパイプ材８１と２本の垂木に相当するパイプ材８２もジョイントを介して連結されている。垂木に相当するパイプ材８２を２本以上取り付けることもできる。
【００３７】
架橋材もパイプ材で製作することができ、ジョイントも側面フレーム３のパイプ材と支柱との連結に使用したジョイント４と同様に筒部と断面略Ｃ型の把持部を有する型のものを使用することができる。
図１１図に示した山形の架橋材そのものは、立体形状であり嵩張るものであるが、折り畳んでほぼフラットなものにしたり、パイプ材とジョイントに分解したりすることができるから、収納時は嵩張るものではなくなる。
【００３８】
長さＬがすべて等しい側面フレームを使用すると、骨組み構造は平面視４角形が正方形のものとなるが、本発明の骨組み構造を平面視４角形を長方形とすることもできる（図示なし）。
支柱の上部において、平面視４角形の４辺の側面を構成する４つの側面フレームは、２組の対向する側面フレームで構成され、対向する側面フレーム同士は同じ長さのものを使用することになるから、長方形の骨組み構造とするには、対向する側面フレームの２組のうち、一方の組の側面フレームの長さ（Ｌ）を他方の組の側面フレームのそれと異なるようにすればよい。
このように、側面フレームの長さ（Ｌ）の異なるものを使用することにより、平面視が長方形の骨組み構造を構築することができる。支柱の下部において側面フレームを架設する場合は、その側面フレームの長さをその側面における支柱の上部に設けている側面フレームの長さと同じものを使用することになる。
【００３９】
本発明の骨組み構造を構成する基本的な部品は、支柱、側面フレーム、ジョイントおよびコーナー材であり、支柱、ジョイント、コーナー材の各部品は同じものを使用することができる。
側面フレームについても、骨組みの平面視４角形の４角形が正方形である場合は、すべて同じ形状のものを使用することができる。
このように、本発明の空間形成用の骨組み構造は、種類や点数が少ない部品を使用して組み立てることができるから、組立作業が容易に行える。そして、主要な部品にパイプ材を使用しているので、軽量な部品を扱うことになるから、この点でも組立作業がしやすい。
また、本発明の骨組み構造を構成する部品は、いずれも嵩張らないものであるから、分解後はコンパクトに収納することができる。
【符号の説明】
【００４０】
１：空間形成用骨組み構造
２、２ａ、２ｂ、２ｃ、２ｄ：支柱
３：側面フレーム
３１：側面フレームのパイプ材
３１１：パイプ材の端部（近傍に屈曲部を有する端部）
３１２：パイプ材の屈曲部
３１３：パイプ材の端部（近傍に屈折部を有しない端部）
３２：支持材
４：ジョイント
４１：（ジョイントの）筒部
４２：（ジョイントの）把持部
５：コーナー材
５１：（コーナー材の）把持部
５２：（コーナー材の）リブ
６：脚座
７：フラットな架橋材
８：山形の架橋材
８１：山形の架橋材の棟木に相当する部材
８２：山形の架橋材の垂木に相当する部材
【要約】
【課題】組立、分解が容易であって、しかも分解後にコンパクトに収納できる空間形成用の骨組み構造を提供する。
【解決手段】本発明の骨組み構造は、パイプ材からなる支柱が平面視４角形の４角の角部に配置され、支柱の上部において、支柱の上部と支柱の上部との間にジョイントを介して側面フレームを架設して該４角形の４辺の側面を形成し、該側面フレームは、一方の端部近傍に屈曲部を有し、該屈曲部を除く部位が直線状である２本の同形のパイプ材と該パイプ材を支持する支持材とからなり、該２本のパイプ材同士が対向して屈曲部を除く部位で平行に、かつ点対称に配置されて、一方のパイプ材の屈曲部が他方のパイプ材に近づく方向に屈曲しているように支持材で支持されてなり、支柱の上部における角部を形成する２つの側面フレームの上側に位置するパイプ材同士を直角に規制する把持部を備えるコーナー材を取り付けたことを特徴とする。
【選択図】図１【図１】
0005846593.tif 000002
【図２】
0005846593.tif 000003
【図３】
0005846593.tif 000004
【図４】
0005846593.tif 000005
【図５】
0005846593.tif 000006
【図６】
0005846593.tif 000007
【図７】
0005846593.tif 000008
【図８】
0005846593.tif 000009
【図９】
0005846593.tif 000010
【図１０】
0005846593.tif 000011
【図１１】
0005846593.tif 000012